(57)【特許請求の範囲】
【請求項１】
飲料及び氷を供給する氷ディスペンサにおいて、
本体と、
前記本体に着脱可能であり、飲料及び氷を通過させて下方に向かって注出するための注出部とを備え、
前記注出部は、飲料を通過させて飲料注出口から注出する飲料通路部と、氷を通過させて氷注出口から注出する氷通路部とを一体に有し、
前記飲料通路部と前記氷通路部とは別個になった通路を形成し、
前記本体は、上下方向に長くなった差込長穴を有し、
前記注出部は、前記注出部から突出して前記差込長穴に挿入可能であり且つ前記差込長穴に係合可能な係止爪をもつ固定部材を一体に有し、
前記固定部材は、前記差込長穴の長手方向に垂直な方向に弾性を有する氷ディスペンサ。
【請求項２】
前記注出部から注出された飲料及び氷を回収するための回収桶を前記注出部の下方にさらに備え、
前記注出部の前記飲料通路部が飲料を注出する方向は、前記注出部の前記氷通路部が氷を注出する方向と、前記注出部及び前記回収桶の間で交差する請求項１に記載の氷ディスペンサ。
【請求項３】
前記注出部の前記氷通路部は、下方に向かってテーパー状に先細になっている請求項１または２に記載の氷ディスペンサ。
【請求項４】
前記注出部の前記氷通路部は、前記氷通路部の通路断面積を互いに対向する部位で減少させる絞り通路部と、減少させた通路断面積で前記絞り通路部の下方に連通する筒状通路部とを有する請求項１または２に記載の氷ディスペンサ。
【発明の詳細な説明】
【技術分野】
【０００１】
この発明は、氷と飲料とを共に提供することができる注出部を備える氷ディスペンサに関する。
【背景技術】
【０００２】
例えば特許文献１には、氷と飲料水とを共に提供することができる氷ディスペンサが記載されている。氷ディスペンサは、貯氷庫の前面に形成された放出口から放出口に設けられたシュートを介して貯氷庫内の氷を利用者に提供する。また、利用者に飲料水を提供するための水パイプが、シュートの背面の貯氷庫側に設けられており、シュートを貯氷庫に保持するための取付板に形成されたパイプ係合部に係脱自在に取り付けられる。
【先行技術文献】
【特許文献】
【０００３】
【特許文献１】特開２００９−９７７８０号公報
【発明の概要】
【発明が解決しようとする課題】
【０００４】
しかしながら、氷ディスペンサでは清掃等のメンテナンスのために、定期的に水パイプを取り外す必要があるが、特許文献１の氷ディスペンサは、水パイプをパイプ係合部の２つの突出部の間に嵌め込むようにして取り付ける構成であるため、水パイプの取付時に水パイプがパイプ係合部に対して位置ずれしやすく、水パイプが鉛直方向ではなく斜めに傾いた状態で取り付けられやすい。そして、取り付けられた水パイプの傾斜が大きいと、利用者への飲料水の提供時に飲料水が利用者のコップ等の中に正確に注がれずに零れるという問題が生じる。従って、特許文献１の氷ディスペンサは、飲料水及び氷を零さない注出を安定して行うことができないという問題がある。
【０００５】
この発明はこのような問題点を解決するためになされたものであり、飲料水及び氷の零れがない注出を安定して行うことができる着脱可能な飲料水及び氷の注出部を備える氷ディスペンサを提供することを目的とする。
【課題を解決するための手段】
【０００６】
上記の課題を解決するために、この発明に係る氷ディスペンサは、飲料及び氷を供給する氷ディスペンサにおいて、本体と、本体に着脱可能であり、飲料及び氷を通過させて下方に向かって注出するための注出部とを備え、注出部は、飲料を通過させて飲料注出口から注出する飲料通路部と、氷を通過させて氷注出口から注出する氷通路部とを一体に有し、飲料通路部と氷通路部とは別個になった通路を形成し、本体は、上下方向に長くなった差込長穴を有し、注出部は、注出部から突出して差込長穴に挿入可能であり且つ差込長穴に係合可能な係止爪をもつ固定部材を一体に有し、固定部材は、差込長穴の長手方向に垂直な方向に弾性を有する。
【０００７】
上記氷ディスペンサは、注出部から注出された飲料及び氷を回収するための回収桶を注出部の下方にさらに備え、注出部の飲料通路部が飲料を注出する方向は、注出部の氷通路部が氷を注出する方向と、注出部及び回収桶の間で交差してもよい。
注出部の氷通路部は、下方に向かってテーパー状に先細になっていてもよい。
また、注出部の氷通路部は、氷通路部の通路断面積を互いに対向する部位で減少させる絞り通路部と、減少させた通路断面積で絞り通路部の下方に連通する筒状通路部とを有していてもよい。
【発明の効果】
【０００８】
この発明に係る氷ディスペンサによれば、着脱可能な飲料及び氷の注出部を用いて飲料及び氷の零れがない注出を安定して行うことが可能になる。
【図面の簡単な説明】
【０００９】
【図１】この発明の実施の形態１に係る氷ディスペンサである。
【図２】図１の氷ディスペンサの断面側面図あり、フロントパネルからディスペンサ本体に向かって延び注出スパウトの中央を通る断面図である。
【図３】図１の氷ディスペンサの正面図であり、フロントパネルを取り除いたものである。
【図４】図１の氷ディスペンサの注出スパウトの斜視図である。
【図５】図４の注出スパウトの正面図である。
【図６】図１の氷ディスペンサにおけるフロントパネルへの凹部の構成を示す図である。
【図７】この発明の実施の形態２に係る氷ディスペンサの注出スパウトの正面図である。
【発明を実施するための形態】
【００１０】
以下、この発明の実施の形態を添付図面に基づいて説明する。
実施の形態１．
以下の実施の形態における氷ディスペンサは、飲料としての水とチップ状の氷とを一緒に利用者に提供する氷水ディスペンサとし、さらに、水平な面上に設置されているものとする。
【００１１】
図１を参照すると、この発明の実施の形態１に係る氷ディスペンサ１は、製氷装置１４（図２参照）及び氷を貯留するためのストッカ１０（図２参照）を内部に含むディスペンサ本体２を有し、利用者が飲料の提供を受ける側であるディスペンサ本体２の前面２ａには、水及び氷を注出する機構を含むフロントパネル３が取り付けられている。さらに、フロントパネル３には、利用者が操作することで水及び氷の提供を受けることができる操作盤４が設けられている。
ここで、ディスペンサ本体２及びフロントパネル３は、氷ディスペンサ１の本体を構成している。
【００１２】
また、図２に示すように、ディスペンサ本体２の内部には、フロントパネル３の背部にストッカ１０が配置され、ストッカ１０の下方に製氷装置１４が設けられている。そして、ストッカ１０は、フロントパネル３の内側に、内部の氷の外部への放出を制御する開閉扉１１と、開閉扉１１に対してその開閉動作のための駆動力を与えるアクチュエータ１３と、アクチュエータ１３の駆動力を開閉扉１１に伝達するリンク機構１２とを有している。
【００１３】
図１に戻り、ディスペンサ本体２の前面２ａには、フロントパネル３の下方に、注出された水及び氷を受け取るための窪んだ注出空間２ａ１が形成され、注出空間２ａ１の底部には、こぼれた水及び氷を回収するための回収桶であるドレンパン５が差し込まれている。また、ドレンパン５のフロントパネル３側となる上部には、利用者がコップ等を置くことができるように簀子５ａが設けられている。また、注出空間２ａ１には、ディスペンサ本体２から注出レバー６が垂下している。利用者は、コップ等を注出レバー６に当接させディスペンサ本体２に向かって押し込むことによっても、水及び氷の提供を受けることができる。
【００１４】
ここで、説明の便宜上、氷ディスペンサ１において、フロントパネル３からドレンパン５に向かう方向を下方、ドレンパン５からフロントパネル３に向かう方向を上方、ディスペンサ本体２からフロントパネル３に向かう方向を前方、フロントパネル３からディスペンサ本体２に向かう方向を後方と呼ぶ。
【００１５】
また、フロントパネル３には、ディスペンサ本体２に向かって窪んだ凹部３ａが形成されている。そして、凹部３ａには、水と氷とを別系統で注出することができ且つ樹脂で形成された注出スパウト１００が着脱可能に取り付けられている。そして、注出スパウト１００には、ディスペンサ本体２の内部から延出する水ホース２１が接続されている。
さらに、利用者が氷ディスペンサ１を使用する通常の使用状態では、フロントパネル３の凹部３ａは、破線で示す着脱可能なカバー７によって、注出スパウト１００と共に覆われている。
ここで、注出スパウト１００は、注出部を構成している。
【００１６】
また、図４及び図５をあわせて参照すると、注出スパウト１００の詳細な構造が示されている。
注出スパウト１００は、内部に氷を通過させるための氷通路部１１０と、内部に水を通過させるための水通路部である水パイプ１２０とを一体に有している。
氷通路部１１０は、注出スパウト１００がフロントパネル３の凹部３ａ（図１参照）に取り付けられた際に下側に位置する略矩形断面をした筒状の注出筒部１１１と、このときに注出筒部１１１の上側に位置する略コ字状断面をしたカバー部１１２とを一体に有している。
【００１７】
注出筒部１１１は、互いに対向する側部１１１ｃ及び１１１ｄと、側部１１１ｃ及び１１１ｄにほぼ垂直で互いに対向する側部１１１ｅ及び１１１ｆとによって筒を形成し、注出スパウト１００がフロントパネル３の凹部３ａに取り付けられた際に下端となる下端部１１１ａの氷注出口１１１ａ１と、下端部１１１ａと反対側の上端部１１１ｂとで開口している。
また、側部１１１ｅ及び１１１ｆは互いに平行である。側部１１１ｃ及び側部１１１ｄは、下端部１１１ａに向かって、注出筒部１１１の内部断面積を減少させる、つまり注出筒部１１１を先細にするテーパーを形成して互いに接近するように傾斜している。なお、注出筒部１１１では、注出スパウト１００がフロントパネル３の凹部３ａに取り付けられる際、側部１１１ｆがディスペンサ本体２（図１参照）側となる。
【００１８】
また、カバー部１１２は、注出筒部１１１の上端部１１１ｂから連続して一体に形成されている。カバー部１１２は、注出筒部１１１の側部１１１ｅから同一の面を形成するようにして延びる側部１１２ｅと、注出筒部１１１の側部１１１ｃ及び１１１ｄのそれぞれから傾きを変えて延びる側部１１２ｃ及び１１２ｄとを有し、側部１１２ｃ及び１１２ｄは互いに平行になっている。そして、カバー部１１２は、注出スパウト１００がフロントパネル３の凹部３ａ（図１参照）に取り付けられた際に上端となる上端部１１２ｂで開口すると共に、側部１１２ｅと対向する側部で開口して開口部１１２ｆ０を形成している。
【００１９】
さらに、側部１１２ｃ及び１１２ｄはそれぞれ、側部１１２ｅと反対側に位置する端部が側部１１２ｃ及び１１２ｄに対して垂直な方向に折り曲げられた返し部１１２ｃ１及び１１２ｄ１を有している。返し部１１２ｃ１は、側部１１２ｄと反対側に延び、返し部１１２ｄ１は、側部１１２ｃと反対側に延びている。
【００２０】
また、カバー部１１２の側部１１２ｃ及び１１２ｄはそれぞれ、注出筒部１１１の側部１１１ｃ及び１１１ｄより側部１１１ｅから側部１１１ｆに向かう方向に突出して延在している。そして、カバー部１１２は、注出筒部１１１の側部１１１ｆの上端部１１１ｂから延びて開口部１１２ｆ０の下部で側部１１２ｃ、１１２ｅ及び１１２ｄと共に筒部分を形成するテーパー側部１１２ｆを有している。テーパー側部１１２ｆは、側部１１１ｆから側部１１２ｃ及び１１２ｄの突出方向に折れるように傾いて延びており、側部１１２ｃ、１１２ｅ及び１１２ｄ並びにテーパー側部１１２ｆで囲む筒部分の内部断面積を注出筒部１１１に向かって減少させるように傾斜している。
これによって、氷通路部１１０の内側では、開口部１１２ｆ０を氷注出口１１１ａ１に連通する氷通路１１０ｐが形成される。
【００２１】
また、注出スパウト１００では、直管状の水通路１２０ｐを内部に形成する水パイプ１２０が、楔状の連結部１１５を介して氷通路部１１０の注出筒部１１１の側部１１１ｅに一体に設けられている。水パイプ１２０は、注出筒部１１１の下端部１１１ａ側において水注出口１２０ａで開口し且つ上端部１１１ｂ側において水注入口１２０ｂで開口するように、注出筒部１１１の軸方向に沿ってその側部１１１ｅの中央に設けられている。さらに、水パイプ１２０は、注出筒部１１１の下端部１１１ａに向かうに従いその側部１１１ｅに接近するように、側部１１１ｅに対して傾斜させて設けられている。また、水パイプ１２０の水注入口１２０ｂの近傍には、帯状に突出する環状のストッパ１２０ｃが形成されている。ストッパ１２０ｃは、水注入口１２０ｂ側で水パイプ１２０に取り付けた水ホース２１（図１参照）を固定するホースバンドの抜け止めとして機能する。
ここで、水パイプ１２０は飲料通路部を構成し、水注出口１２０ａは飲料注出口を構成している。
【００２２】
また、注出スパウト１００は、氷通路部１１０の注出筒部１１１の側部１１１ｃ及び１１１ｄのそれぞれから一体に延びる板状の固定アーム１１３及び１１４を有している。固定アーム１１３及び１１４はそれぞれ、板状形状の平坦な幅広の面を側部１１１ｃ及び１１１ｄに対向させ、注出筒部１１１の側部１１１ｅから側部１１１ｆに向かう方向に突出して延びている。さらに、固定アーム１１３及び１１４は、それぞれの先端部に、先端部に沿って帯状に延在し且つ外方に突出した係止爪１１３ａ及び１１４ａを有している。このため、樹脂製の固定アーム１１３及び１１４は、側部１１１ｃから側部１１１ｄに向かう方向及びその反対方向に可撓性及び弾性を有し、穴に挿入されるとその穴に対して弾性を利用して係止爪１１３ａ及び１１４ａを係合させ、注出スパウト１００を固定することができる。
ここで、固定アーム１１３及び１１４は、固定部材を構成している。
また、上述のようにして構成された注出スパウト１００は、注出筒部１１１、カバー部１１２、水パイプ１２０、連結部１１５、並びに、固定アーム１１３及び１１４が射出成形等の樹脂成形法によって一体成形されて、一つの部品を形成している。
【００２３】
また、図６を参照すると、注出スパウト１００が取り付けられるフロントパネル３の凹部３ａの構成が示されている。
フロントパネル３は、その凹部３ａの中央でネジ３ｆによってディスペンサ本体２の図示しないフレームに固定され、そして、ネジ３ｆでの固定によってディスペンサ本体２における中央の所定の位置に位置合わせされる。
【００２４】
また、フロントパネル３の凹部３ａにおけるディスペンサ本体２側となる背部３ａ１では、その上部に氷放出口３ｃが形成されている。さらに、凹部３ａにおいて、氷放出口３ｃの下方におけるネジ３ｆの両側には、注出スパウト１００の固定アーム１１３及び１１４をそれぞれ挿入し係合させるための差込長穴３ｄ及び３ｅが長手を上下方向にして形成されている。またさらに、凹部３ａにおいて、氷放出口３ｃの側方に水ホース２１（図１参照）を通すためのホース穴３ｂが形成されている。
氷放出口３ｃからは、ディスペンサ本体２の内部に設けられたストッカ１０（図２参照）の開閉扉１１が臨んでいる。氷放出口３ｃは、開閉扉１１より大きく、開閉扉１１に対してその両側に隙間３ｃ１及び３ｃ２を形成している。
【００２５】
そして、注出スパウト１００は、固定アーム１１３の係止爪１１３ａ及び固定アーム１１４の係止爪１１４ａをそれぞれ、フロントパネル３の凹部３ａの差込長穴３ｄ及び差込長穴３ｅに挿入することで、固定アーム１１３及び１１４の弾性を利用して係止爪１１３ａ及び係止爪１１４ａのそれぞれを凹部３ａの背部３ａ１を形成する部材に係合させ、凹部３ａ内の所定の中央位置に固定される。このとき、注出スパウト１００は、その返し部１１２ｃ１及び１１２ｄ１とテーパー側部１１２ｆ（図４参照）とをフロントパネル３の凹部３ａの背部３ａ１に当接させ、それによって上方を除き開口部１１２ｆ０（図４参照）を閉じる。このとき、注出スパウト１００は、凹部３ａの中央位置に固定されるため、フロントパネル３及びディスペンサ本体２の中央に位置する。そして、開口部１１２ｆ０の内側に氷放出口３ｃが位置し、注出スパウト１００のカバー部１１２が氷放出口３ｃの前方を覆う（図３参照）。さらに、注出スパウト１００の注出筒部１１１の中心軸線Ｌ１（図２参照）が、ディスペンサ本体２の中心軸と平行となる、つまり、水平面に配置された氷ディスペンサ１では注出筒部１１１の中心軸線Ｌ１の方向が鉛直方向となる。
【００２６】
一方、ディスペンサ本体２の内部のストッカ１０及び製氷装置１４（図２参照）は、組立誤差等があるため、ディスペンサ本体２への設置時、ストッカ１０の開閉扉１１をフロントパネル３の氷放出口３ｃの中央つまりディスペンサ本体２の中央に位置させるように調節することは困難であり時間を要する。しかしながら、開閉扉１１がより大きい氷放出口３ｃの中に収まるように、ストッカ１０及び製氷装置１４をディスペンサ本体２内に設置しさえすれば、開閉扉１１から氷放出口３ｃを介して放出される氷は、注出スパウト１００を通ることでフロントパネル３及びディスペンサ本体２の中央位置に放出される。
【００２７】
そして、注出スパウト１００をフロントパネル３に取り付けることによって氷注出口１１１ａ１及び水注出口１２０ａがフロントパネル３及びディスペンサ本体２の中央に配置される構成であり、注出スパウト１００の位置調整が不要であるため、注出スパウト１００の注出筒部１１１及び水パイプ１２０とフロントパネル３及びカバー７（図１参照）との間のクリアランスが小さくなるように構成することができる。これにより、注出筒部１１１及び水パイプ１２０とフロントパネル３及びカバー７との間からのごみ等の侵入を防ぎ、フロントパネル３の凹部３ａ内の汚れを低減することができる。
また、清掃等のメンテナンスのために注出スパウト１００をフロントパネル３から取り外す際は、人の手で固定アーム１１３及び固定アーム１１４を外側から押し縮めるように摘み、引き抜くことによって容易に行うことができる。
【００２８】
また、図３に示すように、フロントパネル３に取り付けられた注出スパウト１００では、その水パイプ１２０が、外部給水源に接続されてディスペンサ本体２の内部からフロントパネル３の内側に延びている給水管２０と、フロントパネル３のホース穴３ｂ（図６参照）に通された可撓性がある水ホース２１を介して、接続される。
【００２９】
また、図２を参照すると、注出スパウト１００は、フロントパネル３に取り付けられた状態では、注出スパウト１００の水パイプ１２０の中心軸線Ｌ２は、氷通路部１１０の注出筒部１１１の下端部１１１ａからドレンパン５の簀子５ａの上面５ａ１までの間において、注出筒部１１１の中心軸線Ｌ１を越えて交差する、つまり水パイプ１２０の注出方向が注出筒部１１１の放出方向と交差するように、構成されている。このとき、水パイプ１２０から注出された水と注出筒部１１１から放出された氷とは、注出筒部１１１の下端部１１１ａとドレンパン５の簀子５ａの上面５ａ１との間で合流してそのまま一体となってドレンパン５に流下し、ドレンパン５に落下する際又はドレンパン５の簀子５ａ上に置かれたコップ等に注がれる際に飛散するのが抑えられる。このため、水と氷とが合流する中心軸線Ｌ２と中心軸線Ｌ１との交差位置は、注出スパウト１００とドレンパン５の簀子５ａの上面５ａ１との間であることが好ましい。
【００３０】
また、図３を参照すると、注出スパウト１００は、フロントパネル３（図１参照）に取り付けられた状態では、氷通路部１１０の注出筒部１１１におけるテーパー状になった側部１１１ｃの内側面を延長した延長面Ｐ１及び側部１１１ｄの内側面を延長した延長面Ｐ２がいずれも、ドレンパン５の簀子５ａの上面５ａ１において注出筒部１１１の中心軸線Ｌ１と交差するように、構成されている。なお、本実施の形態１では、中心軸線Ｌ１に対する延長面Ｐ１及び延長面Ｐ２のそれぞれの傾斜角度は同一になっている。このとき、氷通路部１１０の注出筒部１１１から放出される氷は、注出筒部１１１の中央からは中心軸線Ｌ１の方向に、側部１１１ｃからは延長面Ｐ１の方向に、側部１１１ｄからは延長面Ｐ２の方向に放出され、そして、放出された氷は、ドレンパン５の簀子５ａで合流し、注出スパウト１００とドレンパン５との間で拡散すること及び互い衝突して跳ね返ることで周囲に飛散することが抑えられる。このため、延長面Ｐ１及び延長面Ｐ２と中心軸線Ｌ１との交差位置は、ドレンパン５の簀子５ａの上面５ａ１より下方であることが好ましい。
【００３１】
よって、図２を参照すると、氷ディスペンサの１では、利用者がコップ等を注出レバー６に当接させディスペンサ本体２に向かって押し込む、又は、コップ等をドレンパン５の簀子５ａの上に置いた状態でフロントパネル３の操作盤４（図１参照）を操作することによって、ストッカ１０の内部のアジテータが作動すると共にアクチュエータ１３が開閉扉１１を開放してストッカ１０内の氷が注出スパウト１００の氷通路部１１０の内部に放出される。放出された氷は、注出スパウト１００のカバー部１１２及び注出筒部１１１の内側の氷通路１１０ｐを通過して、氷注出口１１１ａ１から外部に放出される。同時に、給水管２０（図３参照）から水が供給され、供給された水は、水ホース２１及び注出スパウト１００の水パイプ１２０の水通路１２０ｐを通過して、その水注出口１２０ａから注出される。
【００３２】
注出スパウト１００から同時に注出された氷及び水は、注出レバー６に押し当てられているコップにそのまま注がれるか、又は、ドレンパン５の簀子５ａの上のコップに、流下途中で合流した状態で注がれる。そして、このとき、注出された氷は、流下途中で拡散することも互いに跳ね返って飛散することなくコップに注がれるか又はドレンパン５に回収される。
【００３３】
上述で説明したように、この発明に係る氷ディスペンサ１は、水及び氷を供給する氷ディスペンサであり、その本体としてディスペンサ本体２及びフロントパネル３と、フロントパネル３に着脱可能であり、水及び氷を通過させて下方に向かって注出するための注出スパウト１００とを備える。注出スパウト１００は、水を通過させて水注出口１２０ａから注出する水パイプ１２０と、氷を通過させて氷注出口１１１ａ１から注出する氷通路部１１０とを一体に有し、水パイプ１２０と氷通路部１１０とは別個になった通路を形成する。
【００３４】
このとき、注出スパウト１００は、利用者に氷を直接提供するための氷注出口１１１ａ１を有する氷通路部１１０と、利用者に水を直接提供するための水注出口１２０ａを有する水パイプ１２０とを一体に備えるため、注出スパウト１００をフロントパネル３に取り付けるのみで、氷通路部１１０及び水パイプ１２０を所定の位置に対してずれることなく配置し固定することができる。よって、氷ディスペンサ１は、着脱可能な注出スパウト１００の取付において氷通路部１１０及び水パイプ１２０の位置ずれを防ぎ、フロントパネル３に取り付けた注出スパウト１００から水及び氷の零れがない注出を安定して行うことを可能にする。さらに、氷ディスペンサ１は、取付時における氷通路部１１０及び水パイプ１２０の位置調整を不要とするため、メンテナンス性を向上させることができる。
【００３５】
また、氷通路部１１０及び水パイプ１２０を樹脂で一体成形することによって、氷通路部１１０に対して水パイプ１２０を正確な位置に強固に設けることができる。さらに、氷通路部１１０及び水パイプ１２０を樹脂で一体成形することによって、部品点数を低減することができるため、製造コストを低減することを可能にすると共に、清掃等のメンテナンス性の向上を可能にする。
【００３６】
また、氷ディスペンサ１は、注出スパウト１００から注出された水及び氷を回収するためのドレンパン５を注出スパウト１００の下方に備えている。さらに、注出スパウト１００の水パイプ１２０が水を注出する方向は、注出スパウト１００の氷通路部１１０が氷を注出する方向と、注出スパウト１００及びドレンパン５の間で交差する。
このとき、注出スパウト１００から注出された水及び氷は、注出スパウト１００とドレンパン５との間で合流して一緒にドレンパン５に流下する。よって、ドレンパン５に置いたコップ等に水及び氷を注出する場合でも、コップ等から水及び氷がこぼれることを抑えることができる。さらに、注出スパウト１００とドレンパン５との間の距離を大きくしても水及び氷のコップ等からのこぼれを抑えることができる。
【００３７】
また、氷ディスペンサ１において、フロントパネル３は、上下方向に長くなった差込長穴３ｄ及び３ｅを有している。さらに、注出スパウト１００は、注出スパウト１００から突出して差込長穴３ｄ及び３ｅにそれぞれ挿入可能であり且つ差込長穴３ｄ及び３ｅに係合可能な係止爪１１３ａ及び１１４ａをそれぞれもつ固定アーム１１３及び１１４を一体に有している。そして、固定アーム１１３及び１１４はそれぞれ、差込長穴３ｄ及び３ｅの長手方向に垂直な方向に弾性を有している。
【００３８】
このとき、注出スパウト１００は、固定アーム１１３の係止爪１１３ａ及び固定アーム１１４の係止爪１１４ａをそれぞれ、フロントパネル３の差込長穴３ｄ及び３ｅに挿入するだけで、固定アーム１１３及び１１４の弾性力によって係止爪１１３ａ及び１１４ａを差込長穴３ｄ及び３ｅに係合させ、フロントパネル３に固定することができる。また、人の手等で弾性力に抗して固定アーム１１３及び１１４を撓ませ、係止爪１１３ａ及び１１４ａの係合を解除し差込長穴３ｄ及び３ｅから引き抜くことによって、フロントパネル３から注出スパウト１００を取り外すことができる。よって、注出スパウト１００のフロントパネル３への着脱を容易にすることができる。
【００３９】
また、氷ディスペンサ１において、注出スパウト１００の氷通路部１１０における注出筒部１１１は、下方に向かってテーパー状に先細になっている。これによって、氷通路部１１０から注出した氷に対して、その拡散を抑えて氷通路部１１０の中央に向かって落下させることができるため、利用者のコップ等から氷がこぼれることを低減することが可能になる。
【００４０】
実施の形態２．
この発明の実施の形態２に係る氷ディスペンサは、実施の形態１の氷ディスペンサ１における注出スパウト１００の氷通路部１１０において、氷通路１１０ｐの途中で通路断面を絞るようにしたものである。
なお、以下の実施の形態において、前出した図における参照符号と同一の符号は、同一または同様な構成要素であるので、その詳細な説明は省略する。
【００４１】
図７を参照すると、実施の形態２に係る氷ディスペンサの注出スパウト２００は、氷通路部２１０と、実施の形態１と同様の水パイプ１２０とを一体に有している。
氷通路部２１０は、注出スパウト２００がフロントパネル３の凹部３ａ（図１参照）に取り付けられた際、下側に位置する略矩形断面をした筒状の注出筒部２１１と、注出筒部２１１の上側に位置して互いに内部で連通する絞り筒部２１６と、絞り筒部２１６の上側に位置して互いに内部で連通し且つ注出筒部２１１より幅が広くなった略コ字状断面をしたカバー部２１２とを一体に有している。
ここで、注出筒部２１１は筒状通路部を構成し、絞り筒部２１６は絞り通路部を構成している。
注出筒部２１１は、その通路断面積が一定であり、その側部２１１ｃに係止爪２１３ａを有する固定アーム２１３が設けられ、側部２１１ｃに対向する側部２１１ｄに係止爪２１４ａを有する固定アーム２１４が設けられ、側部２１１ｃ及び２１１ｄの間の側部２１１ｅに水パイプ１２０が設けられている。
【００４２】
また、絞り筒部２１６は、注出筒部２１１に向かって先細になる形状を有している。そして、両側のテーパー状になった側部２１６ｃ及び２１６ｄは、カバー部２１２において側部２１２ｃ及び２１２ｄの間を幅とする氷通路部２１０の幅を、注出筒部２１１では側部２１１ｃ及び２１１ｄの間である幅に急激に減少させ、氷通路部２１０の通路断面積を減少させている。
なお、水パイプ１２０側となる絞り筒部２１６の側部２１６ｅ、カバー部２１２の側部２１２ｅ、及び注出筒部２１１の側部２１１ｅは、同一の平面を形成している。
【００４３】
また、絞り筒部２１６の側部２１６ｃ及び２１６ｄのそれぞれが、注出筒部２１１の側部２１１ｃ及び２１１ｄに対して傾斜する角度は、側部２１２ｃ及び２１２ｄのそれぞれの内側面を延長すると注出筒部２１１の内部を横切って反対側の側部２１１ｄ及び２１１ｃに到達するような角度が好ましい。
【００４４】
側部２１６ｃ及び２１６ｄが上記のような傾斜角度を有する場合、カバー部２１２の内部を流下した氷は、絞り筒部２１６内の中央ではそのまま注出筒部２１１に流下するが、側部２１６ｃ及び２１６ｄではそれぞれ流下方向が変えられて、注出筒部２１１における反対側の側部２１１ｄ及び２１１ｃに向かって流れ、一部が側部２１１ｄ及び２１１ｃに衝突して跳ね返る。そして、側部２１６ｃ及び２１６ｄのそれぞれから注出筒部２１１の側部２１１ｄ及び２１１ｃに向かう氷の流れ、並びに、側部２１１ｄ及び２１１ｃで跳ね返る氷の流れは、注出筒部２１１を鉛直下方向に流下する氷の流れと干渉し合い、それによって注出筒部２１１内で一時的な氷の詰まりのような現象を発生させることで、氷の流下方向が注出筒部２１１に沿った鉛直下方向に矯正されると共に流速が低減される。これによって、注出筒部２１１の氷注出口２１１ａ１から注出される氷は、周囲への飛散が抑えられる。
【００４５】
また、この発明の実施の形態２に係る氷ディスペンサのその他の構成及び動作は、実施の形態１と同様であるため、説明を省略する。
上述で説明したように、実施の形態２における氷ディスペンサは、上記実施の形態１の氷ディスペンサ１と同様な効果が得られる。
また、注出スパウト２００の氷通路部２１０は、氷通路部２１０の通路断面積を互いに対向する部位である側部２１６ｃ及び２１６ｄで減少させる絞り筒部２１６と、減少させた通路断面積で絞り筒部２１６の下方に連通する注出筒部２１１とを有している。このとき、氷通路部２１０内の氷は、絞り筒部２１６で流下方向が変えられ、注出筒部２１１で流下方向が異なる氷同士が干渉し合い、流れの方向が注出筒部２１１に沿った方向に矯正される。よって、注出筒部２１１の氷注出口２１１ａ１から注出される氷の飛散を抑えることができる。
【００４６】
また、実施の形態１及び２において、注出スパウト１００及び２００の氷通路部１１０及び２１０には、互いに対向する２つの側部がテーパー状になっていたが、これに限定されるものでなく、氷通路部１１０及び２１０を取り囲む４つの側部がテーパー状となっていてもよい。
また、実施の形態１及び２において、水パイプ１２０は、氷通路部１１０及び２１０におけるフロントパネル３と反対側の側部１１１ｅ及び２１１ｅに設けられていたが、これに限定されるものでなく、フロントパネル３側の側部に設けられていてもよい。
【００４７】
また、実施の形態１及び２において、水パイプ１２０は直管状で上下方向に延在していたが、これに限定されるものでない。水パイプ１２０の水注出口１２０ａの近傍が直管状で上下方向に延在していればよく、Ｌ字形の全体形状、又は一部に湾曲した形状を有していてもよい。
また、実施の形態１及び２において、注出スパウト１００及び２００は、水と氷とを注出する氷ディスペンサに設けられていたが、これに限定されるものでなく、茶、ジュース等の飲料と氷とを注出する氷ディスペンサに設けられてもよい。
【符号の説明】
【００４８】
１  氷ディスペンサ、２  ディスペンサ本体（本体）、３  フロントパネル（本体）、３ｄ，３ｅ  差込長穴、５  ドレンパン（回収桶）、１００，２００  注出スパウト（注出部）、１１０，２１０  氷通路部、１１１ａ１，２１１ａ１  氷注出口、１１３，１１４，２１３，２１４  固定アーム（固定部材）、１１３ａ，１１４ａ，２１３ａ，２１４ａ  係止爪、１２０  水パイプ（飲料通路部）、１２０ａ  水注出口（飲料注出口）、２１１  注出筒部（筒状通路部）、２１６  絞り筒部（絞り通路部）。
【図１】
0005743667.tif 000002
【図２】
0005743667.tif 000003
【図３】
0005743667.tif 000004
【図４】
0005743667.tif 000005
【図５】
0005743667.tif 000006
【図６】
0005743667.tif 000007
【図７】
0005743667.tif 000008